(57)【特許請求の範囲】
【請求項１】
複数の支柱（２）と、支柱（２）に接続されるフレーム（３，４）とにより天幕が支持される、折り畳みテント（１）において、
フレーム（３，４）は、天枠パイプ（３）と補強パイプ（４）とからなるものであり、
支柱（２）の上部には、支柱（２）同士を連結するように天枠パイプ（３）が設けられ、
天枠パイプ（３）は、平面視において、支柱（２）を頂点とする多角形を構成するものであり、
又、支柱（２）には、上記の多角形の中心方向に向かう補強パイプ（４）が設けられ、
上記の多角形の中心には、補強パイプ（４）によって支持される、中心支柱（５）が設けられるものであり、
天枠パイプ（３）と補強パイプ（４）とは、それぞれ２組のパイプ要素（３１，３２／４１，４２）が組み合わされた蛇腹状のフレームであり、
パイプ要素（３１，３２／４１，４２）には、交差点（３ａ／４ａ，４ｂ）が少なくとも１つ形成され、
交差点（３ａ／４ａ，４ｂ）は、一方のパイプ要素（３１／４１）と他方のパイプ要素（３２／４２）とが、回動可能に接合されるものであり、
天枠パイプ（３）と補強パイプ（４）は、パイプ要素（３１，３２／４１，４２）同士の角度を変化させることにより折り畳みが可能なものであり、
補強パイプ（４）における各パイプ要素（４１，４２）には、交差点（４ａ，４ｂ）が少なくとも２つと、屈曲点（４１ｃ，４２ｃ）が少なくとも１つ形成され、
かつ、交差点（４ａ，４ｂ）と屈曲点（４１ｃ，４２ｃ）とは交互に形成されるものであり、
各パイプ要素（４１，４２）は、屈曲点（４１ｃ，４２ｃ）において回動可能に接続された、複数の棒状体（４１ａ，４１ｂ，４２ａ，４２ｂ）からなるものであり、
交差点（４ａ，４ｂ）では、一方のパイプ要素（４１）と他方のパイプ要素（４２）の棒状体同士が、回動可能に接合されるものであり、
補強パイプ（４）は、上記の屈曲点（４１ｃ，４２ｃ）を折り曲げることにより折り畳みが可能なものであり、
支柱（２）並びに中心支柱（５）と補強パイプ（４）との接続について、
この接続はそれぞれ２箇所の接続点（４１ｄ，４２ｄ，４１ｅ，４２ｅ）でなされるものであり、
一方の接続点（４２ｄ，４１ｅ）は、上下方向に摺動可能で、かつ回動可能となっており、
他方の接続点（４１ｄ，４２ｅ）は、上下方向に摺動不能であって、回動可能となっており、この一方の接続点における摺動長さに関して、中心支柱（５）の側よりも支柱（２）の側の方が大きいものであり、
水平面へのテント（１）の設営時における、支柱（２）に対するパイプ要素（４１，４２）の下方側の接続点（４２ｄ）に比べて、中心支柱（５）に対するパイプ要素（４１，４２）の上方側の接続点（４１ｅ）及び下方側の接続点（４２ｅ）の双方が、高い位置にあり、
天幕は、支柱（２）と天枠パイプ（３）と中心支柱（５）とにより支持されるものであることを特徴とする折り畳みテント。
【請求項２】
補強パイプ（４）のパイプ要素（４１，４２）は、棒状体（４１ａ，４１ｂ，４２ａ，４２ｂ）により構成されるものであり、水平面へのテント（１）の設営時において、少なくとも１つの棒状体が水平、あるいは、中心方向に向かうにつれ下方に傾斜するものであることを特徴とする、請求項１記載の折り畳みテント。
【請求項３】
支柱（２）並びに中心支柱（５）と補強パイプ（４）との接続について、
少なくとも１つの接続点（４１ｅ，４２ｅ）において、補強パイプ（４）が、支柱（２）並びに中心支柱（５）と交わる方向に移動可能な遊びを持って支持されるものであることを特徴とする、請求項１記載の折り畳みテント。
【請求項４】
支柱（２）と中心支柱（５）の間に配位される各組の補強パイプ（４）は、上・支柱側補強バー（４１ａ）、下・支柱側補強バー（４２ａ）、上・中心側補強バー（４１ｂ）、下・中心側補強バー（４２ｂ）を備え、
上・支柱側補強バー（４１ａ）と下・支柱側補強バー（４２ａ）とは、支柱側交差点（４ａ）で軸支されており、上・支柱側補強バー（４１ａ）と上・中心側補強バー（４１ｂ）とは屈曲点（４１ｃ）で軸支されて上側パイプ要素（４１）が構成され、
上・中心側補強バー（４１ｂ）と下・中心側補強バー（４２ｂ）とは中心側交差点（４ｂ）で軸支されており、下・支柱側補強バー（４２ａ）と下・中心側補強バー（４２ｂ）とは屈曲点（４２ｃ）で軸支されて下側パイプ要素（４２）が構成され、
上側パイプ要素（４１）及び下側パイプ要素（４２）において、交差点（４ａ，４ｂ）と屈曲点（４１ｃ、４２ｃ）とを境に分けられる区間の長さを、支柱側から第１区間（Ｌ１）、第２区間（Ｌ２）、第３区間（Ｌ３）、第４区間（Ｌ４）として、第１区間（Ｌ１）よりも第２区間（Ｌ２）の方が短く、第２区間（Ｌ２）と第３区間（Ｌ３）とは等しい長さであり、第３区間（Ｌ３）よりも第４区間（Ｌ４）の方が短いものであることを特徴とする、請求項１記載の折り畳みテント。
【発明の詳細な説明】
【０００１】
【発明の属する技術分野】
本願発明は、例えば野外行事等の際に設営される、折り畳みテントに関するものである。
【０００２】
【従来の技術】
従来より、複数の支柱と、支柱に接続されるフレームとにより天幕が支持される構造のテントが広く用いられている。
支柱とフレームとの構造には、種々の形態のものが存在しているが、このうち、支柱とフレームとを摺動及び回動可能に支持することにより、折り畳みを容易にした折り畳みテントとして、例えば、特許第２９４９６４８号や特開２００１−２８８９３３号公報に記載されたものがある。
【０００３】
これらのテント１０１は、図８，９に示されるようなものであり、地面等の設置面から上方に伸びる支柱１０２に対し、支柱１０２同士を連結するようにして蛇腹状の天枠パイプ１０３が設けられている。又、天枠パイプ１０３同士は、補強パイプ１０４で連結されており、この補強パイプ１０４の交点であり、天枠パイプ１０３により形成される多角形の中心には、中心支柱１０５が設けられている。
そして、このテントの屋根部分となる天幕１０６が、天枠パイプ１０３と中心支柱１０５とにより支持されている。
【０００４】
【発明が解決しようとする課題】
ところが、この従来のテント１０１における補強パイプ１０４は、天枠パイプ１０３に対して平行に形成されるものであり、風等の外力を受けた場合、天枠パイプ１０３が歪むことがあった。このため、強度を持たせるためには、天枠パイプ１０３によって形成される多角形の対角線上に別途補強材を設ける必要があった。
【０００５】
又、天幕１０６が中心支柱１０５で支持されることにより、このテント１０１には、図８に示されるような、頂点を有する屋根が形成される。これにより、設営時の降雨によって天幕上に水が溜まらないようにできる。
ここで、中心支柱１０５は、補強フレーム１０４に下端部分が支持されるものであるが、補強フレーム１０４がテント１０１の設置面と平行に配位されるものであるため、屋根の頂点をより高くするためには、中心支柱１０５の長さを延長する必要があった。しかし、中心支柱１０５の長さをむやみに延長することは、風等に対して屋根を安定して支持することを困難にするものであった。
【０００６】
上記のことに鑑み、本願発明は、充分な強度を有し、組み立てが容易であり、しかも設営状態が安定している折り畳みテントを提供することを課題とする。
【０００７】
【課題を解決するための手段】
上記課題を解決するために、複数の支柱２と、支柱２に接続されるフレーム３，４とにより天幕が支持される、折り畳みテント１において、つぎの特徴を備えたものを提供するものである。
【０００８】
本願の請求項１の発明にあっては、
フレーム３，４は、天枠パイプ３と補強パイプ４とからなるものであり、
支柱２の上部には、支柱２同士を連結するように天枠パイプ３が設けられ、
天枠パイプ３は、平面視において、支柱２を頂点とする多角形を構成するものであり、
又、支柱２には、上記の多角形の中心方向に向かう補強パイプ４が設けられ、
上記の多角形の中心には、補強パイプ４によって支持される、中心支柱５が設けられるものであり、
天枠パイプ３と補強パイプ４とは、それぞれ２組のパイプ要素３１，３２／４１，４２が組み合わされた蛇腹状のフレームであり、
パイプ要素３１，３２／４１，４２には、交差点３ａ／４ａ，４ｂが少なくとも１つ形成され、
交差点３ａ／４ａ，４ｂは、一方のパイプ要素３１／４１と他方のパイプ要素３２／４２とが、回動可能に接合されるものであり、
天枠パイプ３と補強パイプ４は、パイプ要素３１，３２／４１，４２同士の角度を変化させることにより折り畳みが可能なものであり、
補強パイプ４における各パイプ要素４１，４２には、交差点４ａ，４ｂが少なくとも２つと、屈曲点４１ｃ，４２ｃが少なくとも１つ形成され、
かつ、交差点４ａ，４ｂと屈曲点４１ｃ，４２ｃとは交互に形成されるものであり、
各パイプ要素４１，４２は、屈曲点４１ｃ，４２ｃにおいて回動可能に接続された、複数の棒状体４１ａ，４１ｂ，４２ａ，４２ｂからなるものであり、
交差点４ａ，４ｂでは、一方のパイプ要素４１と他方のパイプ要素４２の棒状体同士が、回動可能に接合されるものであり、
補強パイプ４は、上記の屈曲点４１ｃ，４２ｃを折り曲げることにより折り畳みが可能なものであり、
支柱２並びに中心支柱５と補強パイプ４との接続について、
この接続はそれぞれ２箇所の接続点４１ｄ，４２ｄ，４１ｅ，４２ｅでなされるものであり、
一方の接続点４２ｄ，４１ｅは、上下方向に摺動可能で、かつ回動可能となっており、
他方の接続点４１ｄ，４２ｅは、上下方向に摺動不能であって、回動可能となっており、この一方の接続点における摺動長さに関して、中心支柱５の側よりも支柱２の側の方が大きいものであり、
水平面へのテント１の設営時における、支柱２に対するパイプ要素４１，４２の下方側の接続点４２ｄに比べて、中心支柱５に対するパイプ要素４１，４２の上方側の接続点４１ｅ及び下方側の接続点４２ｅの双方が、高い位置にあり、
天幕は、支柱２と天枠パイプ３と中心支柱５とにより支持されるものであることを特徴とする折り畳みテントを提供する。
【０００９】
本願の請求項２の発明にあっては、
補強パイプ４のパイプ要素４１，４２は、棒状体４１ａ，４１ｂ，４２ａ，４２ｂにより構成されるものであり、水平面へのテント１の設営時において、少なくとも１つの棒状体が水平、あるいは、中心方向に向かうにつれ下方に傾斜するものであることを特徴とする、請求項１記載の折り畳みテントを提供する。
【００１０】
本願の請求項３に係る発明にあっては、
支柱２並びに中心支柱５と補強パイプ４との接続について、
少なくとも１つの接続点４１ｅ，４２ｅにおいて、補強パイプ４が、支柱２並びに中心支柱５と交わる方向に移動可能な遊びを持って支持されるものであることを特徴とする、請求項１記載の折り畳みテントを提供する。
【００１１】
本願の請求項４に係る発明にあっては、支柱２と中心支柱５の間に配位される各組の補強パイプ４は、上・支柱側補強バー４１ａ、下・支柱側補強バー４２ａ、上・中心側補強バー４１ｂ、下・中心側補強バー４２ｂを備え、
上・支柱側補強バー４１ａと下・支柱側補強バー４２ａとは、支柱側交差点４ａで軸支されており、上・支柱側補強バー４１ａと上・中心側補強バー４１ｂとは屈曲点４１ｃで軸支されて上側パイプ要素４１が構成され、
上・中心側補強バー４１ｂと下・中心側補強バー４２ｂとは中心側交差点４ｂで軸支されており、下・支柱側補強バー４２ａと下・中心側補強バー４２ｂとは屈曲点４２ｃで軸支されて下側パイプ要素４２が構成され、
上側パイプ要素４１及び下側パイプ要素４２において、交差点４ａ，４ｂと屈曲点４１ｃ、４２ｃとを境に分けられる区間の長さを、支柱側から第１区間Ｌ１、第２区間Ｌ２、第３区間Ｌ３、第４区間Ｌ４として、第１区間Ｌ１よりも第２区間Ｌ２の方が短く、第２区間Ｌ２と第３区間Ｌ３とは等しい長さであり、第３区間Ｌ３よりも第４区間Ｌ４の方が短いものであることを特徴とする、請求項１記載の折り畳みテントを提供する。
【００１２】
【発明の実施の形態】
以下、図面に基づき、本願発明の実施の形態の一例をとりあげて説明する。図１は本例のテントの構造を示す説明図であり、図２は、補強パイプの構造を示す説明図である。
【００１３】
（概要）
本願発明に係る折り畳みテントは、仮設のテントとして、野外等で設営及び撤収が容易にできるように構成されている。具体的には、図１に示されるように、折り畳みが可能なように、ポール２、天枠パイプ３、補強パイプ４、中心支柱５等を組み合わせたものであり、これらの上部に軟質樹脂等からなる天幕を被せることによって、日差しや雨水等を避けることができるものである。
【００１４】
（ポール）
支柱であるポール２は、一端が地面等の設置面に、他端が上方にそれぞれ配位される棒状のものである。本例においては、テント１の１基につきポール２が４本用いられており、このポール２は、平面視略正方形の頂点の位置であって、設置面に対して垂直に立てられる。このポール２の材質としては、本例においては直線状である中空の角パイプが用いられている。
このポール２は、本例の形態に限られず、種々に変更して実施が可能である。
例えば、湾曲した棒状体を用いても良いし、設置面に対して斜め方向に配位するものであっても良い。
又、複数の棒状体を継ぎ合わせるものであっても良い。例えば、大径の中空棒状体の内部に小径の棒状体を収納することが可能な伸縮式としたり、棒状体同士の継ぎ目にヒンジを設けることにより折り畳みを可能としたり、棒状体同士を嵌め合うことにより継ぎ足し可能としても良い。そしてこの場合、棒状体には長さ調整可能な固定手段が設けられる。これは、例えば、各々の棒状体の側面に形成された穴に抜き差し可能なピンを挿入するか、あるいは少なくとも一方の棒状体の側面に形成された穴に対して、他方の棒状体に配位される、ばねにより付勢された突起を嵌めること等による。つまり、後述する天枠パイプ３と補強パイプ４とが取り付けられる摺動部材２ａの摺動動作に支障をきたさなければ、種々の形態で実施が可能である。ちなみに本例のポール２は、２本の棒状体からなるものであって、複数の穴を形成することにより３段階の長さ調整が可能な伸縮式となっている。
又、テント１の１基あたりのポール２の本数は、本例では４本としているが、これに限られず、３本以上のもので、平面視が多角形を構成するものであれば何本でも良い。更には、この多角形の内部にポール２を配位しても良く、又、後述する中心支柱５と兼ねるものとしても良い。
【００１５】
（天枠パイプ）
天枠パイプ３は、ポール２の上部同士を連結する、外観が蛇腹状のものである。この天枠パイプ３は、本例においては直線状の棒状体である天枠バー３１ａ，３１ｂ，３２ａ，３２ｂが組み合わされたものであり、天枠バー３１ａ，３１ｂ，３２ａ，３２ｂの両端部分を軸支すること等により回動可能に接続したものである。
本例においては、図１に示されるように、１対（２本）のポール２間に４本の等しい長さを有する天枠バー３１ａ，３１ｂ，３２ａ，３２ｂが配位されている。この天枠バー３１ａ，３１ｂ，３２ａ，３２ｂは、それぞれが直線状の棒状体からなるものであり、２本を１組として「く」の字状になるように組み合わされている。その一方は上側パイプ要素３１として、上側接続点３１ｄにおいて、ポール２の上端部に対して接続され、屈曲点３１ｃが上側接続点３１ｄよりも下側に位置するようになっており、他方は下側パイプ要素３２として、下側接続点３２ｄにおいて、ポール２に対して、上記の上側パイプ要素３１の上側接続点３１ｄよりも下方に位置するように接続され、屈曲点３２ｃが下側接続点３２ｄよりも上側に位置するようになっている。そして、上側パイプ要素３１と下側パイプ要素３２とが交わる交差点３ａにおいては、各パイプ要素３１，３２の天枠バー３１ａ，３２ａ、そして３１ｂ，３２ｂがそれぞれ回動可能に軸支されている。つまり、本例においては、各パイプ要素３１，３２において、２つの交差点３ａが１つの屈曲点３１ｃ，３２ｃを挟むようにして形成されている。
【００１６】
尚、上記の天枠バー３１ａ，３１ｂ，３２ａ，３２ｂは、本例に示す形態に限られず、例えば、湾曲した棒状体を用いるものであっても良いし、各パイプ要素３１，３２当たりの構成本数を多くして、多数の交差点３ａ及び屈曲点３１ｃ，３２ｃを有するものとしても良い。
【００１７】
上記の接続点３１ｄ，３２ｄについて、上側接続点３１ｄは、ポール２の上端部に固定されるブラケット（図示しない）に回動可能となるように軸支等の手段で接続されるものである。又、下側接続点３２ｄは、ポール２に沿って摺動可能に設けられる摺動部材２ａに対して、軸支等の手段で回動可能に接続されるものである。
この摺動部材２ａは、本例においては、ポール２の外周を取り巻くようにして設けられる、短い筒状のものであり、この摺動部材２ａの外部に下側パイプ要素３２を接続するためのブラケット（図示しない）が設けられている。そして、摺動部材２ａとポール２との間には着脱可能である固定手段が設けられ、設営時の固定がなされる。これは、例えば、各々の側面に形成された穴に対して、抜き差し可能なピンを挿入するか、あるいはポール２か摺動部材２ａのうち、少なくともどちらか一方の側面に形成された穴に対して、他方に配位される、ばねにより付勢された突起を嵌めること等による（図示はしない）。
摺動部材２ａは、上記のものに限られず、ポール２の内部に対して摺動可能とし、外部にブラケットを設けるような構造であっても良く、下側接続点３ｂをポール２に沿い摺動可能とできるものであれば、種々の形態に変更し得る。
上記のように、天枠パイプ３が蛇腹状に形成されることにより、１対のポール２同士の間隔を近づけたり遠ざけたりする動きに伴って、蛇腹状の天枠パイプ３を折り畳んだり広げたりすることができる。
そして、天枠パイプ３は、平面視において、ポール２の位置を頂点とする多角形を構成する。
【００１８】
（補強パイプ）
補強パイプ４は、天枠パイプ３によって形成される、上記の多角形の中心方向に向かうように配位される。尚、この「中心」とは、多角形における数学的な中心を意味するものではなく、「内側」程度の意味である。本例では、この多角形は略正方形であるため、補強パイプ４は平面視において対角線上に位置するものである。そして、補強パイプ４の交点には中心支柱５が設けられ、天幕はここで支持される。本例では、各補強パイプ４は等しい長さに形成されるものであるが、これに限られるものではなく、不均等な長さの補強パイプ４を組み合わせたものであって良い。
従来の折り畳みテントにおいては、図９に示されるように、天枠パイプ１０３同士を結ぶようにして、補強パイプ１０４が平面視「田」形に形成されるものであったため、天枠パイプ１０３によって形成される多角形の部分に強度を持たせるためには、ブレス等の補強材を別に取り付ける必要があったが（図示しない）、本例においては、天枠パイプ３によって形成される略正方形の対角線上に補強パイプ４が形成されているため、従来の折り畳みテントに比べて強度が向上している。よって、従来のように補強材を別途設ける必要がなく、又、補強材を設けた場合は、更に強度を向上させることができる。
この補強パイプ４の構造は、基本的には、上記の天枠パイプ３と同様であるので、主に、天枠パイプ３との相違点を取り上げて説明する。
【００１９】
上記のように、補強パイプ４の交点には、中心支柱５が設けられ、天幕はここで支持される。本例のように中心支柱５を設けたテント１においては、設営時の降雨によって天幕上に水が溜まらないように、中心支柱５によって支持される部分を頂点とした傾斜をつける。このため、中心支柱５の上端部をより高所に配位することが望ましい。しかし、中心支柱５の長さをむやみに延長することは、風等に対して天幕を安定して支持することを困難にするものである。
これに対して、本願発明においては、水平面へテント１を設営した場合における、ポール２に対するパイプ要素４１，４２の下方側の接続点４２ｄに比べて、中心支柱５に対するパイプ要素４１，４２の上方側の接続点４１ｅ及び下方側の接続点４２ｅの双方が、高い位置に設けられるものであり、中心支柱５を安定して支持することができる。
【００２０】
又、補強パイプ４は、天枠パイプ３と同様に、複数の補強バー４１ａ，４１ｂ，４２ａ，４２ｂからなるものであるが、天枠パイプ３の補強バー３１ａ，３１ｂ，３２ａ，３２ｂと異なり、全てが等しい長さではない。
具体的に説明すると、ポール２と中心支柱５の間に配位される１組の補強パイプ４は、図２に示されるように、上・ポール側補強バー４１ａ、下・ポール側補強バー４２ａ、上・中心側補強バー４１ｂ、下・中心側補強バー４２ｂからなるものである。そして、上・ポール側補強バー４１ａと下・ポール側補強バー４２ａとは、ポール側交差点４ａで軸支されており、上・中心側補強バー４１ｂと下・中心側補強バー４２ｂとは中心側交差点４ｂで軸支されている。
そして、天枠パイプ３と同様に、上・ポール側補強バー４１ａと上・中心側補強バー４１ｂとは屈曲点４１ｃで軸支されて上側パイプ要素４１が構成され、下・ポール側補強バー４２ａと下・中心側補強バー４２ｂとは屈曲点４２ｃで軸支されて下側パイプ要素４２が構成される。
ここで、上側パイプ要素４１において、交差点４ａ，４ｂと屈曲点４１ｃとを境に分けられる区間の長さを、ポール側から第１区間Ｌ１、第２区間Ｌ２、第３区間Ｌ３、第４区間Ｌ４とすると、本願発明においては、第１区間Ｌ１よりも第２区間Ｌ２の方が短く、第２区間Ｌ２と第３区間Ｌ３とは等しい長さであり、第３区間Ｌ３よりも第４区間Ｌ４の方が短くなるように形成されている。下側フレーム４２についても同様である。
【００２１】
一方、上側パイプ要素４１は、ポール２に対しては、ポール２の上端部における上側接続点４１ｄで回動可能に接続されるものであり、中心支柱５に対しては、中心支柱５の下端部よりも上方寄りに設けられた、摺動部材５ａにおける上側接続点４１ｅで摺動可能かつ回動可能に接続される。尚、この摺動部材５ａは、上記の支柱に設けられる摺動部材２ａと同様のものである。
又、下側パイプ要素４２は、ポール２に対しては、上記の上側パイプ要素４１との上側接続点４１ｄよりも下方寄りに設けられた、摺動部材２ａ（本例においては天枠パイプ３と共用している。）における下側接続点４２ｄで摺動可能かつ回動可能に接続されるものであり、中心支柱５に対しては、中心支柱５の下端部における下側接続点４２ｅで回動可能に接続されている。
上記により、天枠パイプ３と同様に、補強パイプ４の開閉時には、ポール２及び中心支柱５に沿い、摺動可能な側の各接続点４１ｅ，４２ｄがそれぞれ上下に摺動するものであるが、この各接続点４１ｅ，４２ｄの摺動長さに関して、中心支柱５の側よりもポール２の側の方が大きくなっている。このため、てこの原理により、特に、テント１の設営時において、中心支柱５を小さな力で上昇させることができ、天幕を容易に張ることができる。
【００２２】
又、本例においては、上・ポール側補強バー４１ａと下・中心側補強バー４２ｂとが、テント１の設営時において、設置面に対して水平に配位される。尚、本願発明は、このような水平のものに限らず、中心方向に向かい下方に傾斜するものとして実施しても良い。又、各補強バー４１ａ，４２ｂのうち少なくとも１本が水平であるか、あるいは下方に傾斜するものであれば良い。これにより、テント１を撤収させる際に、１対のポール２を狭めた場合、上側パイプ要素４１の屈曲点４１ｃが下方に向かうように折り曲げられる。
ここで本願発明の実施形態の一つを図３に示す。これは、図２に示される上記の構造と異なり、各補強バー４１ａ，４２ｂが上方に向かうように形成されるものである。しかし、この場合は、撤収時に各パイプ要素４１，４２を折り曲げる際、引っ掛かりが生じるという懸念があった。これに対して、図２に示されるような補強パイプ４の構造では、このような引っ掛かりが発生せず、スムーズに撤収作業を行うことができるため、有利である。
加えて、本例においては、下側パイプ要素４２によって、側面視が台形状の形態を有するものであるため、強度的にも安定したものとなっており、天幕を安定して支持することができる。
【００２３】
又、本例では、各中心側補強バー４１ｂ，４２ｂの端部には、図４に示されるように、長孔４１ｆ，４２ｆが形成されており、上側接続点４１ｅにおいて摺動部材５ａに対して、下側接続点４２ｅにおいて中心支柱５に対してそれぞれ軸支されている。
天枠パイプ３が平面視において、略正方形の辺に沿うようにして設けられていることに対して、補強パイプ４は略正方形の対角線上であり、かつ、中心支柱５の方向に向かって全体が傾斜しているため、テント１の設営及び撤収時に天枠パイプ３と補強パイプ４の動作する長さが異なる。よって、このままでは、ずれが生じてスムーズな動作がなされない。
そこで上記のように、各接続点４１ｅ，４２ｅにおいて、長孔４１ｆ，４２ｆを設けることにより、この長孔４１ｆ，４２ｆが上記のずれを吸収し、スムーズな動作がなされる。
尚、この長孔４１ｆ，４２ｆの寸法については、各接続点４１ｅ，４２ｅに発生するずれを吸収できることを条件に適宜設定するものであって良いが、具体的には、長孔４１ｆ，４２ｆに通されるピンの直径を基準とした場合、１．５倍〜１０倍、望ましくは２．５倍〜４倍が適当である。又、寸法で表した場合、３mm〜３０mm、望ましくは６mm〜１８mmが適当である。
【００２４】
（中心支柱）
中心支柱５は、上記のように補強パイプ４によって支持されるものであり、本例においては垂直方向に配位される棒状体である。
そして、シート状である天幕は、ポール２と天枠パイプ３と中心支柱５とのそれぞれを覆うように配位され、中心支柱５の部分がテント１の屋根の頂部となる。
中心支柱５が、補強パイプ４の項で説明したように、傾斜した補強パイプ４によって支持されているため、中心支柱５を比較的短くすることができ、屋根の頂部を安定して支持させることができる。
【００２５】
（使用例）
次に、このテント１の設営方法について説明する。まず、図５に示されるように折り畳まれた状態のものを、ポール２の部分が上下方向になるように配位する。（図５においては、説明のために天幕の記載を省略している。）
そして、ポール２を放射状（前後左右）に広げる。これにより、蛇腹状に折り畳まれていた天枠パイプ３や補強パイプ４が広げられる。
補強パイプ４は、上記に示したとおり、中心方向へ向かうにつれて斜め上方へと形成されるものであるため、補強パイプ４を広げるにつれて、中心において補強パイプ４によって支持された中心支柱５は、上方へとせり上がる。
これにより、あらかじめポール２、天枠パイプ３、中心支柱５に取り付けられていた天幕が張られる。
そして、必要により、ポール２を伸長等させて天幕の張られた屋根を持ち上げる。これらの作業により、テント１が設営される。
尚、ポール２の下端部分は、設置面にただ置かれるだけのものであっても良いが、風等により移動してしまうことを防止するために、設置面に対してペグ等を打ち込むことにより固定したり、ウェイトを置いても良い。
本願発明に係る折り畳みテント１は、上記のようにポールを広げる作業だけで設営可能なものであるため、最低２人の人員にて設営が可能である。
尚、テント１の撤収については、上記の設営方法とは逆に行えば良い。設営状態において、ポール２を構成する棒状体同士（伸縮式等、棒状体が複数組み合わされたものからなる場合）や、ポール２と摺動部材２ａとの間等は、ピン等により固定がなされているため、これを解除して撤収作業を行う。
ここで、上記補強パイプ４の項で説明したように、上・ポール側補強バー４１ａと下・中心側補強バー４２ｂとが、テント１の設営時において、設置面に対して水平に配位されているため、テント１を撤収させる際に、ポール２を狭めた場合、上側パイプ要素４１の屈曲点４１ｃが下方に向かうように折り曲げられ、スムーズに撤収作業を行うことができる。
【００２６】
本願発明に係る折り畳みテント１のポール２，天枠フレーム３，補強フレーム４の材質としては、塗装やめっき等の防錆処理を施した鋼材、アルミ、プラスチック等、種々のものを用いることができる。又、本例においては中空の角パイプを用いているが、丸パイプ等を用いるものであっても良い。又、プラスチック等の軽量な材料においては、パイプではなく、中実のものであっても良い。
上記のように、重量、強度、耐久性、コスト等を総合的に考慮し、目的や顧客の要望等に応じて最適な材質を採用する。
【００２７】
又、上記の構造で、強度は充分なものであるが、図６に示されるように、補強部材６を追加して設けることにより、更に強化したものとしても良い。尚、補強部材６について、図６に示されるものは「く」の字状に折り畳み可能なものであるが、天枠パイプ３や補強パイプ４のように、蛇腹状に形成されるものとしても良い。
又、本例では、平面視が略正方形となるようにポール２や天枠パイプ３を形成するものとしているが、これに限られず、図７（Ａ）（Ｂ）に示されるように、長方形等の各種多角形にて実施できる。又、複数のテントを連結して使用することが可能な構造としても良く、種々に変更して実施し得る。
【００２８】
【発明の効果】
本願第１の発明によれば、天枠パイプによって形成される、平面視における多角形の内部を通るように補強パイプが形成されているため、従来の折り畳みテントに比べて強度が向上している。よって、従来のように補強材を別途設ける必要がなく、又、補強材を設けた場合は、更に強度を向上させることができる。しかも、水平面へのテント１の設営時において、支柱２に対するパイプ要素４１，４２の下方側の接続点４２ｄに比べて、中心支柱５に対するパイプ要素４１，４２の上方側の接続点４１ｅ及び下方側の接続点４２ｅの双方が、高い位置にあり、高い位置に設けられるものであり、中心支柱を安定して支持することができる。また、補強パイプの接続点における摺動長さに関して、中心支柱の側よりも支柱の側の方が大きいため、てこの原理により、特に、設営時において、中心支柱を小さな力で上昇させることができ、天幕を容易に張ることができる。
又、本願の請求項２の発明によれば、上記の効果に加えて、補強パイプのパイプ要素を構成する棒状体の一部が、設置面に対して水平であるか、中心方向に向かい下方に傾斜するものであるため、撤収時のパイプ要素の折り曲げがスムーズに行われる。
さらに、本願の請求項３の発明によれば、上記の効果に加えて、補強パイプの接続点において、補強パイプが支柱並びに中心支柱と交わる方向に移動可能なように支持されることにより、天枠フレームと補強フレームとの動作時のずれを吸収することができ、スムーズにテントの設営及び撤収ができる。
【図面の簡単な説明】
【図１】本願発明の実施の形態の一例に係るテントの構造を示す斜視図である。
【図２】本例のテントの構造を示す説明図である。
【図３】テントの構造の他の実施例を示す説明図である。
【図４】本例のテントに係る要部拡大説明図である。
【図５】本例のテントの折り畳まれた状態を示す斜視図である。
【図６】本願発明の他の実施例に係るテントの構造を示す斜視図である。
【図７】（Ａ）（Ｂ）共、本願発明の他の実施例に係るテントを示す説明図である。
【図８】従来のテントを示す斜視図である。
【図９】従来のテントの構造を示す斜視図である。
【符号の説明】
１      折り畳みテント
２      支柱、ポール
３      フレーム、天枠パイプ
３ａ    交差点（天枠パイプ）
３１    上側パイプ要素（天枠パイプ）
３２    下側パイプ要素（天枠パイプ）
４      フレーム、補強パイプ
４ａ    ポール側交差点
４ｂ    中心側交差点
４１    上側パイプ要素（補強パイプ）
４１ａ  棒状体、上・ポール側補強バー
４１ｂ  棒状体、上・中心側補強バー
４１ｃ  屈曲点（補強パイプ）
４１ｄ  上側接続点（補強パイプ）
４１ｅ  上側接続点（補強パイプ）
４２    下側パイプ要素（補強パイプ）
４２ａ  棒状体、上・ポール側補強バー
４２ｂ  棒状体、上・中心側補強バー
４２ｃ  屈曲点（補強パイプ）
４２ｄ  下側接続点（補強パイプ）
４２ｅ  下側接続点（補強パイプ）
５      中心支柱
【図１】
0003743754.tif 000002
【図２】
0003743754.tif 000003
【図３】
0003743754.tif 000004
【図４】
0003743754.tif 000005
【図５】
0003743754.tif 000006
【図６】
0003743754.tif 000007
【図７】
0003743754.tif 000008
【図８】
0003743754.tif 000009
【図９】
0003743754.tif 000010